(57)【特許請求の範囲】
【請求項１】
フレキシブル基板が挿入される基板挿入口が形成されたハウジングと、ハウジング内に前記フレキシブル基板上の幅方向一列に並べられた電極に接触可能に並設された第１のコンタクトと、前記ハウジングの上側に回動自在に軸支され且つ回動して閉状態で前記フレキシブル基板上の電極に第１のコンタクトを圧接させるために第１のコンタクトを押し付ける第１のカム部が設けられたアクチュエータを具備しており、
第１のコンタクトは、前記ハウジングの挿入口の奥側に装着可能な側方視略コ字状をなしたベース部と、前記ベース部の内側に中空支持される側方視略コ字状体であって前記フレキシブル基板の端部を支持するアーム部と、前記アーム部の内側に設けられ且つ前記フレキシブル基板上の電極に接触する接点部とを有した構成となっており、
第１のコンタクトのアーム部は、第１のコンタクトのベース部から内向きに延設された弾性支持部と、前記弾性支持部の端部に連設され且つ前記フレキシブル基板の端部を下方から受け止める下側直線状部と、前記下側直線状部の端部に連設され且つ先端部が反基板挿入方向に向けて折り返された１／２円弧状部と、前記１／２円弧状部の先端部に連設された上側直線状部とを有し、アクチュエータの第１のカム部は、第１のコンタクトのアーム部の上側直線状部の先端部分の上側に当接可能に設けられ、第１のコンタクトの接触点は、前記アーム部の上側直線状部の下側且つ第１のカム部に比べて基板挿入方向寄りの前記アーム部の下側直線状部の対向位置に配置されていることを特徴とするフレキシブル基板用コネクタ。
【請求項２】
請求項１記載のフレキシブル基板用コネクタにおいて、前記アクチュエータの第１のカム部は、第１のコンタクトのベース部の上側先端部と第１のコンタクトのアーム部の上側直線状部との間に挟み込み可能に配置されていることを特徴とするフレキシブル基板用コネクタ。
【請求項３】
請求項１記載のフレキシブル基板用コネクタにおいて、第１のコンタクトのアーム部の弾性支持部は、第１のコンタクトのベース部の下側の反基板挿入方向寄りの位置から内向きに延設され且つ先端部が基板挿入方向に向けて１／４円弧状に湾曲していることを特徴とするフレキシブル基板用コネクタ。
【請求項４】
請求項１記載のフレキシブル基板用コネクタにおいて、前記ハウジング内に前記フレキシブル基板上の幅方向一列に別に並べられた他の電極に接触可能に第１のコンタクトと交互に並設された第２のコンタクトを更に具備しており、
第２のコンタクトは、前記ハウジングの挿入口の奥側に装着可能な側方視略コ字状をなしたベース部と、前記ベース部の内側に中空支持される側方視略コ字状体であって前記フレキシブル基板の端部を支持するアーム部と、前記アーム部の内側に設けられ且つ前記フレキシブル基板上の他の電極に接触する接点部とを有した構成となっており、
第２のコンタクトのアーム部は、第２のコンタクトのベース部から内向きに延設された弾性支持部と、前記弾性支持部の端部に連設され且つ前記フレキシブル基板の端部を下方から受け止める下側直線状部と、前記下側直線状部の端部に連設され且つ先端部が反基板挿入方向に向けて折り返された１／２円弧状部と、前記１／２円弧状部の先端部に連設された上側直線状部とを有し、前記下側直線状部が前記上側直線状部に比べて長くなっており、
アクチュエータには前記閉状態で前記フレキシブル基板上の他の電極に第２のコンタクトを圧接させるために第２のコンタクトを間接的に押し付ける第２のカム部が設けられており、第２のカム部は、前記フレキシブル基板上における第２のコンタクトのアーム部の下側直線状部の先端部分の近い個所に当接可能に設けられていることを特徴とするフレキシブル基板用コネクタ。
【請求項５】
請求項４記載のフレキシブル基板用コネクタにおいて、第２のコンタクトのアーム部の弾性支持部は、第２のコンタクトのベース部の基板挿入方向側に延設され且つ先端部が下方向に向けて１／４円弧状に湾曲していることを特徴とするフレキシブル基板用コネクタ。
【請求項６】
請求項４記載のフレキシブル基板用コネクタにおいて、第２のコンタクトは、べース部の上側の反基板挿入方向寄りの位置から外向きに延設され且つアクチュエータの回転軸を保持する切欠き穴を有した回転軸保持部を更に有していることを特徴とするフレキシブル基板用コネクタ。
【請求項７】
第１、第２のコンタクトの基板挿入方向側の端部がハウジングの基板挿入口反対側の側面から露出している場合の請求項４記載のフレキシブル基板用コネクタにおいて、アクチュエータは、その先端部分に閉状態でハウジングの当該側面に対向して配置される防塵カバー部が設けられていることを特徴とするフレキシブル基板用コネクタ。
【発明の詳細な説明】
【技術分野】
【０００１】
本発明はブレキシブル基板の端部に接続されるフレキシブル基板用コネクタに関する。
【背景技術】
【０００２】
この種のフレキシブル基板用コネクタの一例として、フレキシブル基板が挿入される基板挿入口が形成されたハウジングと、ハウジング内に当該フレキシブル基板上の電極に接触可能に並設されたコンタクトと、ハウジングの上側に回動自在に軸支されたアクチュエータとを備えた構成のものがある。
【０００３】
この場合のコンタクトは側面視Ｅ字状の弾性板状片であって、その下段のスリットにフレキシブル基板の端部が入り込むようになっている。そして、この状態でアクチュエータを回動させて閉状態にすると、コンタクトの中央の接片部がアクチュエータに設けられたカム部により押し下げられて、フレキシブル基板の電極に圧接するようになっている（例えば、特許文献１等）。
【特許文献１】特開２００２−９３５０４号公報
【発明の開示】
【発明が解決しようとする課題】
【０００４】
しかしながら、上記従来例による場合、コンタクトの長さを短くすると、所定の接触圧力が得られず、コンタクトがへたり易く、これに伴って、コネクタ全体の小型化を図ることが困難であった。だからと言って、コンタクトとして高い弾性の材質のものを使用すると、コスト高になるという別の問題を招来することになる。
【０００５】
本発明は上記した背景の下で創作されたものであって、大型化やコスト高を招くことなく所望の接触圧力が得られるフレキシブル基板用コネクタを提供することを目的とする。
【課題を解決するための手段】
【０００６】
本発明に係るフレキシブル基板用コネクタは、フレキシブル基板が挿入される基板挿入口が形成されたハウジングと、ハウジング内に前記フレキシブル基板上の幅方向一列に並べられた電極に接触可能に並設された第１のコンタクトと、前記ハウジングの上側に回動自在に軸支され且つ回動して閉状態で前記フレキシブル基板上の電極に第１のコンタクトを圧接させるために第１のコンタクトを押し付ける第１のカム部が設けられたアクチュエータを具備している。特に、 第１のコンタクトは、ハウジングの挿入口の奥側に装着可能な側方視略コ字状  をなしたベース部と、ベース部の内側に中空支持される側方視略コ字状体であってフレキシブル基板の端部を支持するアーム部と、アーム部の内側に設けられ且つ前記フレキシブル基板上の電極に接触する接点部とを有した構成となっている。第１のコンタクトのアーム部は、第１のコンタクトのベース部から内向きに延設された弾性支持部と、弾性支持部の端部に連設され且つフレキシブル基板の端部を下方から受け止める下側直線状部と、下側直線状部の端部に連設され且つ先端部が反基板挿入方向に向けて折り返された１／２円弧状部と、１／２円弧状部の先端部に連設された上側直線状部とを有している。アクチュエータの第１のカム部は、第１のコンタクトのアーム部の上側直線状部の先端部分の上側に当接可能に設けられている。第１のコンタクトの接触点は、アーム部の上側直線状部の下側且つ第１のカム部に比べて基板挿入方向寄りの前記アーム部の下側直線状部の対向位置に配置されている。
好ましくは以下のようにすると良い。第１のコンタクトのアーム部の弾性支持部は、第１のコンタクトのベース部の下側の反基板挿入方向寄りの位置から内向きに延設され且つ先端部が基板挿入方向に向けて１／４円弧状に湾曲したものを用いる。アクチュエータの第１のカム部は第１のコンタクトのベース部の上側先端部と第１のコンタクトのアーム部の上側直線状部との間に挟み込み可能に配置されている。更に、ハウジング内にフレキシブル基板上の幅方向一列に別に並べられた他の電極に接触可能に第１のコンタクトと交互に並設された第２のコンタクトを更に備えるようにする。この場合、第２のコンタクトについては、ハウジングの挿入口の奥側に装着可能な側方視略コ字状をなしたベース部と、ベース部の内側に中空支持される側方視略コ字状体であってフレキシブル基板の端部を支持するアーム部と、前記アーム部の内側に設けられ且つフレキシブル基板上の他の電極に接触する接点部とを有した構成となっている。第２のコンタクトのアーム部は、第２のコンタクトのベース部から内向きに延設された弾性支持部と、弾性支持部の端部に連設され且つフレキシブル基板の端部を下方から受け止める下側直線状部と、下側直線状部の端部に連設され且つ先端部が反基板挿入方向に向けて折り返された１／２円弧状部と、１／２円弧状部の先端部に連設された上側直線状部とを有し、下側直線状部が前記上側直線状部に比べて長くなっている。アクチュエータには前記閉状態でフレキシブル基板上の他の電極に第２のコンタクトを圧接させるために第２のコンタクトを間接的に押し付ける第２のカム部が設けられており、第２のカム部は、フレキシブル基板上における第２のコンタクトのアーム部の下側直線状部の先端部分の近い個所に当接可能に設けられている。
より好ましくは、第２のコンタクトのアーム部の弾性支持部については、第２のコンタクトのベース部の基板挿入方向側に延設され且つ先端部が下方向に向けて１／４円弧状に湾曲したものを用いる。また，第２のコンタクトは、べース部の上側の反基板挿入方向寄りの位置から外向きに延設され且つアクチュエータの回転軸を保持する切欠き穴を有した回転軸保持部を更に備えるようにする。第１、第２のコンタクトの基板挿入方向側の端部がハウジングの基板挿入口反対側の側面から露出している場合には、アクチュエータは、その先端部分に閉状態でハウジングの当該側面に対向して配置される防塵カバー部を設けるようにする。
【発明の効果】
【０００７】
本発明の請求項１又は２に係るフレキシブル基板用コネクタによる場合、フレキシブル基板の端部がハウジングの基板挿入口に挿入されると、第１のコンタクトのアーム部で受け止められる。この状態でアクチュエータを回動させて第１のカム部が第１のコンタクトのアーム部に押し付けられると、第１のコンタクトの接点部がフレキシブル基板の表面上の電極に圧接される。この際、アーム部全体が弾性変形してフレキシブル基板の端部を支持することから、これに伴って大きな接触圧力が得られる。また、アクチュエータの第１のカム部が第１のコンタクトのアーム部の上側直線状部の先端部分の上側に当接し、第１のコンタクトの接触点が第１のカム部に比べて基板挿入方向寄りの位置に配置されていることから、アクチュエータの回動に伴って第１のコンタクトのアーム部全体が大きく縮み、第１のコンタクトの接点部に大きな力が作用し、この点でも大きな接触圧力が得られる。
【０００８】
よって、コンタクトに関して、長いものを使用したり、高弾性の材質のものを選定したりしなくても、所定の接触圧力を維持することが可能になり、コネクタ全体の小型化及び低コスト化を図る上で大きなメリットがある。
【０００９】
本発明の請求項３に係るフレキシブル基板用コネクタによる場合、第１のコンタクトの弾性支持部が１／４円弧状に湾曲していることからフレキシブル基板の端部が上方に若干持ち上げられ、これに伴って大きな接触圧力が得られる。
【００１０】
本発明の請求項４又は５に係るフレキシブル基板用コネクタによる場合、第２のコンタクトのアーム部の下側直線状部が上側直線状部に比べて長く、アクチュエータの第２のカム部が第２のコンタクトのアーム部の下側直線状部の先端部分にフレキシブル基板を通じて当接するようになっているので、アクチュエータの回動に伴って第２のコンタクトのアーム部全体が大きく縮み、第２のコンタクトの接点部に大きな力が作用し、この点で大きな接触圧力が得られる。
【００１１】
本発明の請求項６に係るフレキシブル基板用コネクタによる場合、第２のコンタクトにアクチュエータの回転軸を保持する回転軸保持部が設けられているので、アクチュエータの抜け止めや軸支等を行うための部品等の全部又はその一部が不要になり、この点で構成が簡単になり、低コスト化を図ることが可能になる。
【００１２】
本発明の請求項７に係るフレキシブル基板用コネクタによる場合、第１、第２のコンタクトの基板挿入方向側の端部がハウジングの基板挿入口反対側の側面から露出しているときであっても、アクチュエータが閉状態であるときに防塵カバー部によりハウジングの当該側面が防塵カバー部により覆われることから、防塵効果が高く、この点で高性能化を図ることが可能になる。
【発明を実施するための最良の形態】
【００１３】
以下、本発明に係るフレキシブル基板用コネクタの実施の形態を図面を参照して説明する。
【００１４】
図１はフレキシブル基板用コネクタの閉状態を示す斜視図、図２は同フレキシブル基板用コネクタの開状態を示す斜視図、図３は同フレキシブル基板用コネクタの分解斜視図、図４は同フレキシブル基板用コネクタの第１のコンタクトの形状を併せて示す断面図、図５は同フレキシブル基板用コネクタの第２のコンタクトを併せて示す断面図である。
【００１５】
ここに掲げるフレキシブル基板用コネクタは、フレキシブル基板ａ（図４及び図５参照）を電気的に接続する基板実装型のコネクタである。このフレキシブル基板ａの端部の上側の面上には、図示されていないが、内部の芯線に合致した個数の電極が幅方向に配置され、それらが長さ方向に２列配列されている。
【００１６】
具体的には、図１乃至図５に示すようにフレキシブル基板ａが挿入される基板挿入口１３が形成された矩形状の樹脂成形品であるハウジング１０と、ハウジング１０内にフレキシブル基板ａ上の電極に接触可能に交互に並設された弾性板状片である第１、第２のコンタクト３０，４０と、ハウジング１０の上側に回動自在に軸支され且つ回動して閉状態でフレキシブル基板ａ上の電極に第１、第２のコンタクト３０，４０を圧接させるために同コンタクトを間接的／直接的に押し付ける第１、第２のカム部２２２２，２２１２が設けられた側面視略Ｌ字状の樹脂成形品であるアクチュエータ２０とを具備している。
【００１７】
ハウジング１０は、第１、第２のコンタクト３０，４０を交互に且つ互いに隣接して収容する複数の部屋が形成された本体１１と、本体１１に形成された連設された側方視略Ｌ状の受け部１２とを有した構成となっている。
【００１８】
本体１１の正面（フレキシブル基板ａが挿入される方向の面）には、第２のコンタクト４０を挿入するための開口１１４及び第１のコンタクト３０の端部を露出させるための開口１１３が交互に且つ互いに隣接して形成されている。一方、本体１１の背面（フレキシブル基板ａが挿入される方向の反対の面）には、第１のコンタクト３０を挿入するための開口１１１及び第２のコンタクト４０の端部を露出させるための開口１１２が交互に且つ互いに隣接して形成されている。
【００１９】
第２のコンタクト４０は、本体１１の開口１１４を通じて本体１１内に挿入され、その端部が本体１１の開口１１２から露出される。一方、第１のコンタクト３０は本体１１の開口１１１を通じて本体１１内に挿入され、その端部が本体１１の開口１１３から露出される。
【００２０】
本体１１の両側面にはアクチュエータ２０の閉状態を維持するための係止片１１６が設けられている。また、本体１１の正面側には、フレキシブル基板ａが挿入される基板挿入口１３に対応した位置に切り込み１１５（図４（ｂ）及び図５（ｂ）参照）が形成されている。フレキシブル基板ａの先端が切り込み１１５の奥側に当接することにより、フレキシブル基板ａ上の電極と第１、第２のコンタクト３０，４０との位置合わせが行われるようになっている。
【００２１】
受け部１２の上面には、開口１１４と同一のピッチ間隔で溝１２１が形成されている。第２のコンタクト４０は、受け部１２上の溝１２１に案内されて本体１１の開口１１４に挿入可能になっている。ハウジング１０の受け部１２とアクチュエータ２０の軸部２２との間の隙間が基板挿入口１３となっており、基板挿入口１３の奥側に本体１１の開口１１３及び１１４が位置している。
【００２２】
第１のコンタクト３０は、フレキシブル基板ａ上の内側の列の電極に接触するコンタクトであって、ハウジング１０の基板挿入口１３の奥側に装着可能なベース部３１と、ベース部３１に中空支持される側方視略コ字状体であってフレキシブル基板ａの端部を支持するアーム部３２と、アーム部３２の内側に設けられ且つフレキシブル基板ａ上の電極に接触する接点部３３とを有した構成となっている。
【００２３】
ベース部３１は、ハウジング１０の本体１１に開口１１１を通じて装着される側方視略コ字状の形状を有している。
【００２４】
アーム部３２は、ベース部３１から内向きに延設された弾性支持部３２１と、弾性支持部３２１の端部に連設され且つフレキシブル基板ａの端部を下方から受け止める下側直線状部３２２と、下側直線状部３２２の端部に連設され且つ先端部が反基板挿入方向に向けて折り返された１／２円弧状部３２３と、１／２円弧状部３２３の端部に連設された上側直線状部３２４とを有している。
【００２５】
弾性支持部３２１は、ベース部３１の下側の反基板挿入方向寄りの位置から延設され且つ先端部が基板挿入方向に向けて１／４円弧状に湾曲している。
【００２６】
上側直線状部３２４は下側直線状部３２２に比べて長く、その先端部の上側にアクチュエータ２０の第１のカム部２２２２が当接可能になっている。
【００２７】
接点部３３は、上側直線状部３２４の下側で且つ下側直線状部３２２の対向位置に設けられている。しかも上側直線状部３２４の先端部ではなく、アクチュエータ２０の第１のカム部２２２２に比べて基板挿入方向寄りの位置に配置されている。
【００２８】
第２のコンタクト４０は、フレキシブル基板ａ上の外側の列の電極に接触するコンタクトであって、ハウジング１０の基板挿入口１３の奥側に装着可能なベース部４１と、ベース部４１に中空支持される側方視略コ字状体であってフレキシブル基板ａの端部を支持するアーム部４２と、アーム部４２の内側に設けられ且つフレキシブル基板ａ上の電極に接触する接点部４３と、ベース部４１から外側に向けて延設された回転軸保持部４４とを有した構成となっている。
【００２９】
ベース部４１は、ハウジング１０の本体１１に開口１１４を通じて装着される側方視略コ字状の形状を有している。
【００３０】
アーム部４２は、ベース部４１から内向きに延設された弾性支持部４２１と、弾性支持部４２１の端部に連設され且つフレキシブル基板ａの端部を下方から受け止める下側直線状部４２２と、下側直線状部４２２の端部に連設され且つ先端部が反基板挿入方向に向けて折り返された１／２円弧状部４２３と、１／２円弧状部４２３の端部に連設された上側直線状部４２４とを有している。
【００３１】
弾性支持部４２１は、ベース部４１の基板挿入方向側に延設され且つ先端部が下方向に向けて１／４円弧状に湾曲している。
【００３２】
下側直線状部４２２は、第１のコンタクト３０とは異なり、上側直線状部４２４に比べて長くされている。下側直線状部４２２の先端部分の上方付近にアクチュエータ２０の第２のカム部２２１２が位置している。
【００３３】
接点部４３は、上側直線状部４２４の下側で且つ下側直線状部４２２の対向位置に設けられている。第１のコンタクト３０とは異なり、上側直線状部４２４の先端部に配置されている。
【００３４】
回転軸保持部４４は、べース部４１の上側の反基板挿入方向寄りの位置から外向きに１／４円弧状に湾曲させて延設されており、その先端部にアクチュエータ２０の回転軸２２１１を保持するための切欠き穴４４１が設けられている。
【００３５】
アクチュエータ２０は、ハウジング１０の本体１１と対応した長さを有したベース板２１と、ベース板２１の基端側に連設された軸部２２と、ベース板２１の先端側に連設された防塵カバー部２３とを有した構成となっている。
【００３６】
軸部２２はその下側に軸板２２１、２２２が交互に且つ互いに隣接して長さ方向に並設されている。軸板２２１、２２２は第１、第２のコンタクト３０、４０と同一のピッチ間隔に設定されている。軸板２２１，２２２はいずれも扇状をなした板状体であって、その下側の角部が第２のカム部２２１２となっている。軸板２２１の一面の中央部分には、回転軸２２１１が長さ方向に向けて設けられている一方、軸板２２２の一面の中央部分の外寄りの位置には第１のカム部２２２２が長さ方向に向けて設けられている。
【００３７】
防塵カバー部２３は、ハウジング１０の本体１１の背面の全部及びその両側面の一部を隠すための上方視コ字状の板状体であって、その内面にはハウジング１０の本体１１の係止片１１６に乗り上げて係合される突部２３１が設けられている。
【００３８】
以上のように構成されたフレキシブル基板用コネクタの組み立て方法及び使用方法について説明する。
【００３９】
まず、ハウジング１０の本体１１の上面にアクチュエータ２０のベース板２１を乗せて位置合わせした状態で、第２のコンタクト４０をハウジング１０の本体１１内に挿入して装着する。すると、第２のコンタクト４０の先端部の一部がハウジング１０の本体１１の開口１１２から露出される。また、アクチュエータ２０の回転軸２２１１が第２のコンタクト４０の回転軸保持部４４の切欠き穴４４１に入り込む。
【００４０】
第２のコンタクト４０の全てがハウジング１０の本体１１内に装着されると、アクチュエータ２０の各軸板２２１に設けられた回転軸２２１１が第２のコンタクト４０の回転軸保持部４４でもって軸支される。
【００４１】
この結果、アクチュエータ２０がハウジング１０に対して回転軸２２１１を中心として回動自在になる。第２のコンタクト４０がハウジング１０に装着されて固定されることから、アクチュエータ２０がハウジング１０から簡単に脱落することはない。
【００４２】
図４（ａ）及び図５（ａ）はフレキシブル基板用コネクタの閉状態を示している。この状態では、アクチュエータ２０のベース板２１がハウジング１０の本体１１の上面に当接し、アクチュエータ２０によりハウジング１０の上面等が覆われている。
【００４３】
図４（ｂ）及び図５（ｂ）はフレキシブル基板用コネクタの開状態を示している。この状態では、アクチュエータ２０の第２のカム部２２１２がハウジング１０の本体１１の正面に当接し、アクチュエータ２０がハウジング１０に対して直角に立ち、ハウジング１０の上面等が露出されている。
【００４４】
そしてアクチュエータ２０の開状態において第１のコンタクト３０をハウジング１０の本体１１内に挿入して装着する。すると、第１のコンタクト３０の先端部がハウジング１０の本体１１の開口１１３から露出される他、アクチュエータ２０の第１のカム部２２２２が第１のコンタクト３０のベース３１の上側先端部３１１とアーム部３２の上側直線状部３２４との間の隙間に入り込む。
【００４５】
アクチュエータ２０の開状態においては、第１のカム部２２２２が水平方向に向いていることから、第１のコンタクト３０の装着に際して、第１のカム部２２２２が何ら障害にならないようになっている。
【００４６】
このようにして組み立てられたフレキシブル基板用コネクタをフレキシブル基板ａの端部に取り付けるには次のようにする。
【００４７】
まず、アクチュエータ２０を開状態にした状態で、フレキシブル基板ａの端部をハウジング１０内に基板挿入口１３から挿入する。すると、第１、第２のコンタクト３０、４０のアーム部３２、４２にフレキシブル基板ａの端部が挿入され、その先端が本体１１の切り込み１１５の奥側に当接する。
【００４８】
この状態で、フレキシブル基板ａ上の電極と第１、第２のコンタクト３０，４０との位置合わせが行われる。即ち、第１のコンタクト３０の接点部３３がフレキシブル基板ａ上の内側の列の電極に位置合わせされ、第２のコンタクト４０の接点部４３がフレキシブル基板ａ上の外側の列の電極に位置合わせされる。
【００４９】
そしてアクチュエータ２０を回動させて閉状態にする。すると、閉状態が維持される。第１のカム部２２２２が水平方向から垂直方向に傾いて、第１のコンタクト３０の上側直線状部３２４の上側の先端部に当接して押し付け、第１のコンタクト３０の接点部３３がフレキシブル基板ａ上の内側の列の電極に圧接する。この際、フレキシブル基板ａの端部が第１のコンタクト３０のアーム部３２の下側直線状部３２２で支持され、アーム部３２の全体が弾性変形することから、両者間の圧接は確実に行われる。
【００５０】
また、アクチュエータ２０が閉状態になると、第２のカム部２２１２が傾いてフレキシブル基板ａの端部の上面に当接して押し付ける。これに伴って、第２のコンタクト４０の下側直線状部４２２の上側の先端部がフレキシブル基板ａを通じて押し付けられる。これに伴って、アーム部４２の全体が弾性変形し、第２のコンタクト４０の接点部４３がフレキシブル基板ａ上の外側の列の電極に圧接する。特にフレキシブル基板ａの端部が若干押し下げられても、第２のコンタクト４０のアーム部４２の下側直線状部４２２で支持されていることから、フレキシブル基板ａ上の電極と第２のコンタクト４０の接点部４３との位置関係等に変化がなく、この点でも両者間の圧接は確実に行われる。
【００５１】
しかもアクチュエータ２０を閉状態にすると、フレキシブル基板ａの端部が第２のカム部２２１２とハウジング１０の受け部１２との間で噛み合わされ、フレキシブル基板ａがハウジング１０から簡単に抜けることがない。
【００５２】
アクチュエータ２０が閉状態であるときには、ハウジング１０の本体１１の背面等が防塵カバー部２３に対向配置される。開状態においては、ハウジング１０の本体１１の背面側に形成された開口１１１、１１２を通じて第１、第２のコンタクト３０，４０の端部が露出していたが、閉状態においては、この露出部分が覆われることになる。この結果、防塵効果が高まり、これに伴って故障等が少なくなり、この点で高性能化を図ることが可能になる。
【００５３】
上記とは反対にアクチュエータ２０を反対方向に回動させて閉状態から開状態にすると、第１、第２のカム部２２２２、２２１２が元の位置に戻り、これに伴って、第１、第２のコンタクト３０、４０が第１、第２のカム部２２２２、２２１２を通じて押し付けられなくなり、第１、第２のコンタクト３０、４０の接点部３３、４３がフレキシブル基板ａ上の電極から離れるだけでなく、フレキシブル基板ａをハウジング１０から簡単に抜くことが可能になる。
【００５４】
上記のように構成されたフレキシブル基板用コネクタによる場合、アクチュエータ２０が閉状態になり、第１、第２のカム部２２２２、２２１２が第１、第２のコンタクト３０、４０のアーム部３２、４２に押し付けられると、アーム部３２、４２の全体が大きく弾性変形し、これに伴って第１、第２のコンタクト３０、４０の接触部３３、４３とフレキシブル基板ａ上の電極との間に大きな接触圧力が得られる。
【００５５】
従来例による場合とは異なり、大きな接触圧を得るために、第１、第２のコンタクト３０、４０として、寸法の長いものを使用したり、高弾性の材質のものを選定したりする必要がなくなり、この点でコネクタ全体の小型化及び低コスト化を図ることが可能になる。また、第２のコンタクト４０に回転軸保持部４４が設けられており、アクチュエータ２０の抜け止めや軸支等を行うための部品等が不要になることから、構成が簡単になり、この点での低コスト化を図ることも可能になる。
【００５６】
なお、本発明に係るフレキシブル基板用コネクタは、フレキシブル基板上に電極が並設されている限り、どのような種類のものにも適用可能である。例えば、電極の配列数が１であれば１種類のコンタクトを使用すれば良く、電極がフレキシブル基板の裏面上に並設されていれば、コンタクトの接点部をアーム部の上側ではなく下側に配置するようにすれば良い。
【００５７】
また、ハウジングに関しては、フレキシブル基板が挿入される基板挿入口が形成されている限り、どのような形状や材質などあってもかまわない。
【００５８】
コンタクトについては、ベース部に関しては、ハウジングの挿入口の奥側に装着可能な形状等であれば良く、アーム部に関しては、ベース部に中空支持される側方視略コ字状体であってフレキシブル基板の端部を支持する形状等であれば良く、アーム部に関しては、アーム部の内側に設けられ且つフレキシブル基板上の端子に接触する形状等であれば良い。
【００５９】
アクチュエータに関しては、ハウジングの上側に回動自在に軸支され且つ回動して閉状態でフレキシブル基板上の電極にコンタクトを圧接させるためにコンタクトを直接的又は間接的に押し付けるカム部が設けられた構成である限り、どのようなものを使用してもかまわない。
【図面の簡単な説明】
【００６０】
【図１】本発明の実施形態を説明するための図であって、フレキシブル基板用コネクタの閉状態を示す斜視図である。
【図２】同フレキシブル基板用コネクタの開状態を示す斜視図である。
【図３】同フレキシブル基板用コネクタの分解斜視図である。
【図４】同フレキシブル基板用コネクタの第１のコンタクトの形状を併せて示す断面図である。
【図５】同フレキシブル基板用コネクタの第２のコンタクトを併せて示す断面図である。
【符号の説明】
【００６１】
１０  ハウジング
１３  基板挿入口
２０  アクチュエータ
２３  防塵カバー
３０  第１のコンタクト
３１  ベース部
３２  アーム部
３３  接点部
４０  第２のコンタクト
４１  ベース部
４２  アーム部
４３  接点部
４４  回転軸保持部
【図１】
0004515403.tif 000002
【図３】
0004515403.tif 000003
【図４】
0004515403.tif 000004
【図５】
0004515403.tif 000005
【図２】
0004515403.tif 000006